(57)【特許請求の範囲】
【請求項１】
トレーの上部に安着されたディスクをデッキ本体に設けられたターンテーブルローターとデッキ覆いに設けられたクランプとの間に介在されて、クランピングされるように構成されたディスクのクランピング装置において、
前記クランプは、前記ターンテーブルローターの上面に安着された前記ディスクの内側非書き込み面と外側非書き込み面を同時に押えるよう、その内周側にはディスク押え面が、外周側には複数の押え突起が一体に構成され、
前記デッキ本体の内壁後端の一側には、前記トレーが所定の位置に引入れられて停止される際、トレーの後端が下部へ垂下がらないように支承するよう、支持突起が一体に突設され
前記トレーの上面後端の一側には、前記トレーが引入れられて停止される際、前記クランプに連結されたレバーの後端を上部へ押してクランプを下降動作せしめるよう、複数の傾斜突起が一体に突設され
前記レバーの後端には、前記トレーが引入れられる際、前記複数の傾斜突起に対応されるように接触されるよう、折曲部が下部へ折曲され
たことを特徴とするディスクのクランピング装置。
【請求項２】
前記レバーは、前記デッキ覆いの上面一側を支点にシーソ運動をされるよう、デッキ覆いの一側に固定された弾発部材によってその後端下部が弾性支持されていることを特徴とする請求項１に記載のディスクのクランピング装置。
【発明の詳細な説明】
【０００１】
【発明の属する技術分野】
この発明は、ＣＤロム（ＣＤ ＲＯＭ）、ＣＤプレーア（ＣＤ ＰＬＡＹＥＲ）、ＤＶＳ（ＤＩＧＴＡＬ ＶＥＲＳＡＴＩＬＥＳＹＳＴＥＭ）、ＤＶＤロム（ＤＩＧＴＡＬ ＶＥＲＳＡＴＩＬＥ ＤＩＳＣ ＲＯＭ）、ＤＶＤプレーア（ＤＩＧＴＡＬ ＶＥＲＳＡＴＩＬＥ ＤＩＳＣ ＰＬＡＹＥＲ）などに適用されるディスク（光書き込み媒体）のクランピング装置に関するものである。
【０００２】
【従来の技術】
一般に、従来のディスクのクランピング装置は、図１に示すように、デッキ本体（図示なし）内に設けられるスピンドルモータ１０と、該スピンドルモータ１０の上部に樞設されて、ディスク１２の下面に形成された内側非書き込み面１２ａに密着されるターンテーブルローター１４と、該ターンテーブルローター１４の中央に突設されて前記ディスク１２の中央に穿孔されたセッティング穴１２ｂに嵌入されるクランピングヨーク１６と、前記本体の上部に固定されたデッキ覆い（図示なし）の下面に昇降されるように設けられて安着された前記ディスク１２の上面に形成された内側非書き込み面１２ａを押さえるクランプ１８と、該クランプ１８の中央に固定されてクランプ１８が下部へチェッキング（ＣＨＥＣＫＩＮＧ）される際、磁力によって前記クランピングヨーク１６に結合されるクランピング磁石２０とから構成されている。
【０００３】
【発明が解決しようとする課題】
ところで、上記のごとく構成された従来のディスクのクランピング装置は、クランプがターンテーブルローターの上面に安着されたディスクを押える場合、ディスクの内側非書き込み面だけを押えることのできる仕組みになっていることから、ピックアップの反対方向（上部方向）にたわめられた不良ディスクをターンテーブルローターに載上し、前記クランプによってクランピングを行う場合、ディスクを平坦に繰り広げられないことから、ディスクの内側トラックより外側トラックへ行くほど、上部方向へ持上げられる現象が生じ、これによって、回転されるディスクの下部書き込み面１２ｃを再生装置（図示せず）によって再生させる際、光パターンが一定でないことから、ディスクに書き込まれたデータをろくに再生できないという問題点があった。
【０００４】
そこで、この発明は上記種々の問題点を解決するためになされたものであって、この発明の目的は、ディスクの上面を押えるクランプによってディスクのピックアップの反対方向（上部方向）へたわめられた不良ディスクを平坦に繰り広げることによって、ディスクに書き込まれたデータを容易に再生できるようにしたディスクのクランピング装置を提供することにある。
【０００５】
【課題を解決するための手段】
上記のような目的を達成するためになされたこの発明に従うディスクのクランピング装置は、トレーの上部に安着されたディスクをデッキ本体に設けられたターンテーブルローターとデッキ覆いに設けられたクランプとの間に介在されて、クランピングされるように構成されたディスクのクランピング装置において、前記クランプは、前記ターンテーブルローターの上面に安着された前記ディスクの内側非書き込み面と外側非書き込み面を同時に押えるよう、その内周側にはディスク押え面が、内周側には複数の押え突起が一体に構成されたことを特徴とする。
【０００６】
【発明の実施の形態】
以下、この発明に従う一実施形態につき添付図に沿つて詳述する。
ちなみに、図において従来の構成と同一部分に対しては、同一名称及び符号を付して、それにつく詳述は省くことにする。
この発明に従うデッキは、図２及び３に示すように、本体３０と、該デッキ本体３０の上部の開口に重合って複数の締付ねじ４０によって結合されるデッキ覆い５０にて構成されている。
【０００７】
つまり、前記デッキ本体３０の上部には、前方に引入れられるか、または引出されつつ、その上面に前記ディスク１２が安着されるようトレー３２が設けられ、前記デッキ本体３０の内壁後端の中央に対して所定の高さには前記トレー３２が所定の位置へ引入れられて停止される際、トレー３２の後端が下部へ垂下がらないように支承するよう、支持突起３４が一体に突設されている。
【０００８】
この際、前記トレー３２は、上面の中央に前記ディスク１２が安着されるよう、ディスクの安着面３２ａがくぼんだ形状に形成され、その上面の後端中央に前記トレー３２が引入れられて停止される際、前記デッキ覆い５０の後述するレバーの後端を上部へ押すよう、複数の傾斜突起３２ｂが一体に突設されている。
【０００９】
一方で、 前記デッキ覆い５０には、 その後端の中央に一側端を固定された弾発部材５２が設けられ、その下部にデッキ覆い５０の中央に穿孔された通穴５０ａに一致されるようクランプ５４が配置され、その上面に一側を支点にしてシーソ運動が行われるよう、前記弾発部材５２の終端部に係止されて後端は下部へ弾性支持されるとともに、先端は前記デッキ覆い５０の中央に穿孔された通穴５０ａに一致されるレバー５６が配置されている。
【００１０】
前記レバー５６の先端の上面には、レバー５６とデッキ覆い５０との間に介在されて、前該クランプ５４の中央に係止方式によって結合されるようプレート５８が設けられ、前記デッキ覆い５０の上部には、前記プレート５８を含むレバー５６の先端側をカバーするよう、トップカバー６０が設けられている。
【００１１】
この際、前記弾発部材５２は、少なくとも２つ以上の板ばね形状になっており、その先端は前記デッキ覆い５０の後端の中央に対して下面に、例えば、リベッティングによって片腕レバー方式で固定され、その後端は前記レバー５６の後端の下面を通じて上面に貫通されて弾性力によってレバー５６の後端を下部へ押えるよう、係止部５２ａが折曲されている。
【００１２】
前記クランプ５４は、前記ディスク１２の直径とほぼ同一大の直径をもつ板形状になっており、その内周側に前記クランピング磁石２０が固定されるようにするとともに、前記ディスク１２の上面の内周側に形成された非書き込み面１２ａに接触されてディスク１２を押えるよう、円形状のディスク押え面５４ａが形成され、前記ディスク押え面５４ａの上面の周りに前記プレート５８に係止方式で相互に対応されるように結合されるよう、所定の間隔をおいて複数のフック突起５４ｂが一体に突設されている。
【００１３】
また、前記クランプ５４は、その中間側の周りに前記ディスク押え面５４ａを中心に、放射状に所定の間隔をおいて同一の間隔及び面積に分割された位置にクランプ５４の重さを減少せしめるよう、複数の切欠穴５４ｃが穿孔され、その外周側に対して下面に前記ディスク１２の上面の外周側に形成された非書き込み面１２ｄに部分的に接触されてディスク１２を押えるよう、複数の押え突起５４ｄが一体に突設されている。
【００１４】
この際、前記複数の押え突起５４ｄは、前記クランプ５４の外周側の下面に対して相互に所定の間隔及び同一の高さをなすよう、４等分、６等分、８等分、１２等分に分割された位置のうちから選ばれたそのいずれか１つの位置に設けられている。
前記複数の押え突起５４ｄは、前記ディスク押え面５４ａより段差高さが大きく突設されている。
前記複数の押え突起５４ｄ及びディスク押え面５４ａは、前記クランプ５４の下面から好ましくは、０．２乃至０．４ｍｍ内で突出され、より好ましくは、０．３ｍｍで突出されている。
【００１５】
前記レバー５６は、その先端に前記デッキ覆い５０の通穴５０ａと同心をなすとともに、通穴５０ａの上部から下部へ通過されない直径をもつよう輪形状部５６ａが形成され、その後端に前記デッキ覆い５０の上面に安着されるとともに、終端部は前記弾発部材５２の係止部５２ａと対応されるように結合されて下部へ弾性支持されるよう、板状部５６ｂが一体に延長突設されている。
【００１６】
この際、前記板状部５６ｂの終端部には、側面から見る場合、Ｖ字形状に折曲されて、前記トレー３２の上面に突設された複数の傾斜突起３２ｂに接触されるとともに、前記弾発部材５２の係止部５２ａが下部から上部へ貫通されてまたがるよう、折曲部５６ｃが形成されている。
【００１７】
前記プレート５８は、その中央が下部へ突出されて前記クランピング磁石２０の上面に対応されるように密着されるよう、内側密着面５８ａが形成され、その外周側に前記内側密着面５８ａより上向けになるように突出されつつ、前記レバー５６の輪形状部５６ａの上面の周りに密着されるよう、外側密着面５８ｂが形成され、前記内側密着面５８ａと外側密着面５８ｂとの間の周りに前記クランプ５４の上面に突設された複数のフック突起５４ｂが対応されるように係止されて相互に結合されるよう、結合穴５８ｃが放射状に形成されている。
【００１８】
前記トップカバー６０は、 その先端に前記レバー５６の輪形状部５６ａとプレート５８を間において、前記デッキ覆い５０の上面に重合って締付ねじ６２によって一側端が固定されるよう円板部６０ａが形成され、その後端に前記レバー５６の板状部５６ｂの一側の面積を間において前記デッキ覆い５０の上面に重合うとともに、デッキ覆い５０の一側に穿孔された複数の結合穴５０ｂにそれぞれ対応されるよう、係止方式で結合されるよう、一側に複数の結合突起６０ｂをもつ板状部６０ｃが一体に延長突設されている。
【００１９】
次に、 かように構成されたこの発明の作用及び効果について述べる。
デッキ本体３０から前方へトレー３２を引出した後、そのトレー３２の上面に形成されたディスク安着部３２ａにディスク１２を安着させるとともに、トレー３２を引入れると、ディスク安着部３２ａの中央に穿孔された穴がデッキ本体３０の内部の所定の位置に装着されたクランピングヨーク１６の回転中心と自動的に一致されるとともに、ディスク安着部３２ａに安着されたディスク１２のセッティング穴１２ｂの回転中心と自動的に一致される。
【００２０】
この際、トレー３２がデッキ本体３０の内部へ引入れられた後に停止された状態になると、トレー３２の後端がデッキ本体３０の内壁後端にぶつかるとともに、デッキ本体３０の内壁後端の中央に一体に突設された支持突起３４の上部に安着されることによって、トレー３２の後端中央が下部へ垂下がらないように支持される。
【００２１】
さらに、トレー３２の上面の後端中央に突設された複数の傾斜突起３２ｂは、トレー３２が引入れられる際、デッキ覆い５０に設けられたレバー５６の折曲部５６ｃにぶつかりつつ複数の傾斜突起３２ｂの高さだけ、レバー５６の後端側の板状部５６ｂを上部へ押しやることになるが、この際、レバー５６はその板状部５６ｂの中間側の支点を回動支点にシーソ運動されつつその先端側の輪形状部５６ａが下降するようになり、その輪形状部５６ａの下降動作につれてクランプ５４が同時に下降するようになる。
【００２２】
つまり、クランプ５４は、デッキ覆い５０の通穴５０ａの下部側からデッキ覆い５０の上部に位置されたレバー５６の輪形状部５６ａの下面に密着されるとともに、輪形状部５０ａの上面に位置されたプレート５８と係止方式によって結合される仕組みになっていることから、レバー５６の先端側の輪形状部５６ａが下降動作される際、同時に下降されることによって、クランプ５４の中央に固定されたクランピング磁石２０がディスク１２の中央に穿孔されたセッティング穴１２ｂを通り、ターンテーブルローター１４の上面に突出されたクランピングヨーク１６に磁力によって付着される。
【００２３】
また、クランプ５４の内側に形成されたディスク押え面５４ａと外側の複数の押え突起５４ｄは同時に下降されるが、この際、クランプ５４のディスク押え面５４ａはターンテーブルローター１４に向けて下降されつつディスク１２の上面に対して内側非書き込み面１２ａを押えるとともに、ディスク押え面５４ａとターンテーブルローター１４との間に介在されたディスク１２の内側非書き込み面１２ａを強くクランピングするようになり、クランプ５４の複数の押え突起５４ｄはディスク１２の上面に対して外側非書き込み面１２ｄを押えることになる。
【００２４】
この際、前記複数の押え突起５４ｄとディスク押え面５４ａは、前記クランプ５４の下面から０.３ｍｍの高さに同一に突出されていることから、クランプ５４が下降されてディスク１２を押える場合、複数の押え突起５４ｄは、外側非書き込み面１２ｄと接触し、ディスク押え面５４ａがディスク１２の内側非書き込み面１２ａと接触する。
【００２５】
したがって、上部へたわめられた不良ディスク１２がターンテーブルローター１４に搭載される場合、図４に示すように、前記クランプ５４に形成された複数の押え突起５４ｄとディスク押え面５４ａは、クランプ５４の下降力によってディスク１２の上面側の内側非書き込み面１２ａと外側非書き込み面１２ｄを同時に押えて、上部へたわめられた不良ディスク１２を平坦に繰り広げることによって、ディスク１２のたわみを補正するとともに、ディスク１２の書き込み面１２ｃに書き込まれたデータが再生装置の駆動によって適確に再生されるように補正せしめることになる。
【００２６】
【発明の効果】
上述のように、この発明に従うディスクのクランピング装置は、安着されてターンテーブルローターに安着されたディスクをクランプによってクランピングをする場合、ディスクの上面に対して内側非書き込み面と外側非書き込み面を同時に押えることのできる仕組みになっていることから、ディスクのピックアップの反対方向（上部方向）へたわめられた不良ディスクを平坦に繰り広げられるようにすることができるし、これによってディスクに書き込まれたデータを容易に再生できる効果がある。
【図面の簡単な説明】
【図１】  従来に従うクランプがターンテーブルローターに載上されたディスクを押える状態を示す断面図である。
【図２】  この発明に従うデッキ本体とデッキ覆いを示す分解斜視図である。
【図３】  この発明に従うデッキ覆いのクランピングアセイ部を示す断面図である。
【図４】  この発明に従うクランプがターンテーブルローターに載上されたディスクを押える状態を示す断面図である。
【符号の説明】
１２  ディスク
１２ａ  内側非書き込み面
１２ｃ  書き込み面
１２ｄ  外側非書き込み面
１４  ターンテーブルローター
３０  デッキ本体
３２  トレー
３４  支持突起
５０  デッキ覆い
５２  弾発部材
５４  クランプ
５４ａ  ディスク押え面
５４ｃ  切欠穴
５４ｄ  押え突起
５６  レバー
５６ｃ  折曲部
【図１】
0003817419.tif 000002
【図２】
0003817419.tif 000003
【図３】
0003817419.tif 000004
【図４】
0003817419.tif 000005